(57)【要約】【課題】簡易な構成で、相手側コネクタ２０との間の嵌合力または抜去力に影響を与えることなく円環状コンタクト１３を絶縁ハウジング１１に強固に保持させることを可能とする。【解決手段】絶縁ハウジング１１に取り付けられた円環状コンタクト１３の分割端部分１３ｅに、相手側コネクタ２０に対する抜去が行われる際に絶縁ハウジング１１の一部に当接して当該円環状コンタクト１３を絶縁ハウジング１１に保持させるコンタクト保持部材１３ｆ，１３ｆを径方向外方に向かって突出するように設け、コンタクト保持部材１３ｆ，１３ｆの形状や大きさが、円環状コンタクト１３の弾性力、つまり相手側コネクタ２０に対する嵌合力または抜去力に殆ど影響しないようにして相手側コネクタ２０との間の嵌合力または抜去力の調整が容易に行われる構成としたものである。【選択図】図７
2014123532.tif 000002
【特許請求の範囲】
【請求項１】
絶縁ハウジングに取り付けられた円環状コンタクトに、当該円環状コンタクトを円周方向に分断する分割スリットが設けられたものであって、
前記分割スリットを介して円周方向に対向する前記円環状コンタクトの分割端部分が、相手側コネクタとの間で嵌合・抜去が行われる際に円周方向に互いに近接または離間する構成になされた同軸型電気コネクタにおいて、
前記円環状コンタクトの分割端部分に、前記相手側コネクタに対する抜去が行われる際に前記絶縁ハウジングの一部に当接して当該円環状コンタクトを前記絶縁ハウジングに保持させるコンタクト保持部材が設けられたものであって、
前記コンタクト保持部材は、前記円環状コンタクトの分割端部分の各々に連設され、前記円環状コンタクトから径方向の外方に向かって突出する構成になされていることを特徴とする同軸型電気コネクタ。
【請求項２】
前記円環状コンタクトに設けられた前記コンタクト保持部材が、前記絶縁ハウジングの一部に対して前記抜去の方向に対面する軸方向保持面を有する一方、
前記絶縁ハウジングには、前記円環状コンタクトの軸方向保持面と前記抜去の方向に対面する第１受け部が設けられていることを特徴とする請求項１記載の同軸型電気コネクタ。
【請求項３】
前記円環状コンタクトに設けられた前記コンタクト保持部材が、前記絶縁ハウジングの一部に対して前記円環状コンタクトの円周方向に対面する円周方向保持面を有する一方、
前記絶縁ハウジングには、前記円環状コンタクトの円周方向保持面と円周方向に対面する第２受け部が設けられていることを特徴とする請求項２記載の同軸型電気コネクタ。
【発明の詳細な説明】
【技術分野】
【０００１】
本発明は、絶縁ハウジングに円環状コンタクトが取り付けられた同軸型電気コネクタに関する。
【背景技術】
【０００２】
一般に、種々の電気機器において、互いに嵌合接続可能に構成された一対の電気コネクタを使用して細線同軸ケーブルやフレキシブル配線基板等の各種信号伝送媒体を印刷配線基板に電気的に接続したり、一対の配線基板同士（基板対基板）を電気的に接続することが広く行われている。そのような一対の電気コネクタとしては、例えば、下記の特許文献１に記載されているような信号伝送媒体や配線基板が連結されるプラグコネクタ（第１のコネクタ）と、配線基板上に実装されるリセプタクルコネクタ（第２のコネクタ）とを使用するものが一般的であり、これらのリセプタクルコネクタとプラグコネクタとが嵌合されることによって電気的な接続が行われるようになっている。
【０００３】
一方、上述した一対の配線基板同士（基板対基板）の接続に用いられる電気コネクタとしては、コンタクトを同心状に配置した同軸型の電気コネクタが知られている。その同軸型電気コネクタは、絶縁ハウジングに円環状コンタクトが取り付けられた構成を有しており、その円環状コンタクト円周方向の一部に設けられた分割スリットを介して、当該円環状コンタクトが円周方向に分断されている。そして、相手側コネクタとの間において嵌合又は抜去が行われる際に、上述した分割スリットを介して円周方向に対向する円環状コンタクトの分割端部分が、円周方向に互いに離間しながら、すなわち分割スリットの間隔が広げられながら円環状コンタクトの弾性変形が行われる。このように円環状コンタクトの分割スリットの間隔が広げられるように弾性変形が行われる際には、円環状コンタクトの外径がやや拡大されることとなるが、嵌合操作又は抜去操作が完了した時点で、円環状コンタクトが元の状態に復元され、それによって両コネクタ同士が嵌合状態又は解放状態に保持される構成になされている。
【０００４】
ところが、近年において電気コネクタの小型化・低背化が進展するに伴う強度上の観点から、相手側コネクタとの間の抜去力に対抗して円環状コンタクトを絶縁ハウジングに強固に保持する必要性が高まっている。例えば、下記の先行特許文献１においては、絶縁ハウジング（プラグボディ）の外周に形成された係合突起１５を、円環状コンタクト（外部導体）に形成された開口部に係合させる構成が採用されており、そのような構成によって絶縁ハウジングに対する円環状コンタクトの移動を規制するようにしている。
【０００５】
しかしながら、同文献に開示された電気コネクタにおいては、円環状コンタクト（外部導体）に開口部が形成されていることから、その開口部を形成する際の形状や大きさによって円環状コンタクトの弾性が変動してしまい、相手側コネクタとの間の嵌合力または抜去力に影響を与えてしまう。また、相手側コネクタに対する嵌合力や抜去力は、製品性能の一部として適宜なものとなるように調整する必要があるが、上述したように円環状コンタクトに開口部が設けられていると、円環状コンタクトを構成している金属材料の材質との相対関係において開口部の形状や大きさを設定する必要がある。その結果、相手側コネクタとの嵌合力または抜去力を適正化することが難しいという問題がある。
【先行技術文献】
【特許文献】
【０００６】
【特許文献１】特開２００６−６６３８４号公報
【発明の開示】
【発明が解決しようとする課題】
【０００７】
そこで本発明は、簡易な構成で、相手側コネクタとの間の嵌合力または抜去力に影響を与えることなく円環状コンタクトを絶縁ハウジングに強固に保持することができるようにした同軸型電気コネクタを提供することを目的とする。
【課題を解決するための手段】
【０００８】
上記目的を達成するため本発明では、絶縁ハウジングに取り付けられた円環状コンタクトに、当該円環状コンタクトを円周方向に分断する分割スリットが設けられたものであって、  前記分割スリットを介して円周方向に対向する前記円環状コンタクトの分割端部分が、相手側コネクタとの間で嵌合・抜去が行われる際に円周方向に互いに近接または離間する構成になされた同軸型電気コネクタにおいて、前記円環状コンタクトの分割端部分に、前記相手側コネクタに対する抜去が行われる際に前記絶縁ハウジングの一部に当接して当該円環状コンタクトを前記絶縁ハウジングに保持させるコンタクト保持部材が設けられたものであって、前記コンタクト保持部材は、前記円環状コンタクトの分割端部分の各々に連設され、当該円環状コンタクトから径方向の外方に向かって突出する構成が採用されている。
【０００９】
このような構成からなる同軸型電気コネクタによれば、円環状コンタクトを絶縁ハウジングに保持させるコンタクト保持部材が、円環状コンタクトの分割スリットを構成している分割端部分に設けられていることから、当該コンタクト保持部材の形状や大きさが、当該円環状コンタクトの弾性力、つまり相手側コネクタに対する嵌合力または抜去力に殆ど影響することが無くなり、その相手側コネクタとの間の嵌合力または抜去力の調整が容易に行われる。
【００１０】
また、円環状コンタクトの分割端部分に設けられたコンタクト保持部材が、円環状コンタクトの径方向外方に突出していることから、円環状コンタクトの外方側からコンタクト保持部材を把持することが可能となるとともに、そのように外方側からコンタクト保持部材を把持しながら円環状コンタクトを弾性変位させることで、コンタクト保持部材を所定の組付け位置に嵌め込むことが容易に行われることとなり、円環状コンタクトの組立性が向上する。
【００１１】
このとき、本発明においては、前記円環状コンタクトに設けられた前記コンタクト保持部材が、前記絶縁ハウジングの一部に対して前記抜去の方向に対面する軸方向保持面を有する一方、前記絶縁ハウジングには、前記円環状コンタクトの軸方向保持面と前記抜去の方向に対面する第１受け部が設けられた構成とすることが望ましい。
【００１２】
このような構成を備えた同軸型電気コネクタによれば、相手側コネクタとの間の抜去が行われる際に、円環状コンタクトのコンタクト保持部材を構成する軸方向保持面が、絶縁ハウジングの第１受け部に当接することとなり、それによって絶縁ハウジングと円環状コンタクトとが抜去の方向において直接的かつ確実に保持される。
【００１３】
さらに、本発明においては、前記円環状コンタクトに設けられた前記コンタクト保持部材が、前記絶縁ハウジングの一部に対して前記円環状コンタクトの円周方向に対面する円周方向保持面を有する一方、前記絶縁ハウジングには、前記円環状コンタクトの円周方向保持面と円周方向に対面する第２受け部が設けられた構成とすることが望ましい。
【００１４】
このような構成を備えた同軸型電気コネクタによれば、相手側コネクタとの間の抜去が行われる際に、円環状コンタクトのコンタクト保持部材である円周方向保持面が、絶縁ハウジングの第２受け部に当接することとなり、それによって円環状コンタクトの円周方向および径方向の拡大が止められることから、相手側コネクタとの間の嵌合力または抜去力が過小になることが回避されて調整が容易に行われる。
【００１５】
また、円周方向保持面と絶縁ハウジングの第２受け部との当接位置を適宜に調整することによって、円環状コンタクトの径方向の拡大範囲が適宜に調整されることから、相手側コネクタとの間の嵌合力または抜去力の調整が容易に行われる。
【発明の効果】
【００１６】
以上述べたように本発明にかかる同軸型電気コネクタは、絶縁ハウジングに取り付けられた円環状コンタクトの分割端部分に、相手側コネクタに対する抜去が行われる際に絶縁ハウジングの一部に当接して当該円環状コンタクトを絶縁ハウジングに保持させるコンタクト保持部材を径方向外方に向かって突出するように設け、コンタクト保持部材の形状や大きさが、円環状コンタクトの弾性力、つまり相手側コネクタに対する嵌合力または抜去力に殆ど影響しないようにして相手側コネクタとの間の嵌合力または抜去力の調整が容易に行われるとともにコンタクト保持部材の組付け性を高めた構成としたものであるから、簡易な構成で、相手側コネクタとの間の嵌合力または抜去力に影響を与えることなく円環状コンタクトを絶縁ハウジングに強固に保持させることができ、同軸型電気コネクタの信頼性を安価かつ大幅に高めることができる。
【図面の簡単な説明】
【００１７】
【図１】本発明の一実施形態にかかる同軸型電気コネクタを上方側から表した外観斜視説明図である。
【図２】図１に示された本発明の一実施形態にかかる同軸型電気コネクタが嵌合される相手側コネクタの一例を表した外観斜視説明図である。
【図３】図１に示された本発明の一実施形態にかかる同軸型電気コネクタに用いられている円環状コンタクトの単品構造を表した外観斜視説明図である。
【図４】図１に示された本発明の一実施形態にかかる同軸型電気コネクタに用いられている絶縁ハウジングの単品構造を表した外観斜視説明図である。
【図５】図１に示された本発明の一実施形態にかかる同軸型電気コネクタに、相手側コネクタを嵌合させた後の嵌合完了状態を表した側面説明図である。
【図６】図５に示された嵌合状態にある両コネクタの縦断面説明図である。
【図７】図１に示された本発明の一実施形態にかかる同軸型電気コネクタに用いられている絶縁ハウジングに対して円環状コンタクトを組付ける工程を表した外観斜視説明図である。
【図８】図７に示された絶縁ハウジングに対する円環状コンタクトの組付け工程の側面説明図である。
【図９】図８に示された状態から円環状コンタクトを絶縁ハウジング側に押し込んだ状態を表した側面説明図である。
【図１０】図９に示された状態から円環状コンタクトを絶縁ハウジング側にさらに押し込んだ組付けの完了状態を表した側面説明図である。
【発明を実施するための形態】
【００１８】
以下、本発明を、印刷配線基板同士を接続する同軸型電気コネクタに適用した実施形態について図面に基づき詳細に説明する。
【００１９】
［全体構造について］
図１〜図１０に示された本発明の一実施形態にかかる同軸型電気コネクタ１０は、例えば携帯電話等の電子機器内に配置された印刷配線基板Ｐ上に半田付けにより実装されるものであって、相手側コネクタとしての他の同軸型電気コネクタ２０が、例えば作業者の手で把持されながら、本発明にかかる同軸型電気コネクタ１０に対して図示上方側に同軸状に配置され（図５および図６参照）、その後に、相手側の同軸型電気コネクタ２０が適宜の力で下方に押し込まれることによって、両コネクタ１０，２０同士が嵌合された状態になされる。また、それらの両コネクタ１０，２０の嵌合状態から、本発明の一実施形態にかかる相手側コネクタとしての他の同軸型電気コネクタ２０が図示上方側に適宜の力で引き上げられることで、本発明にかかる同軸型電気コネクタ１０から相手側の同軸型電気コネクタ２０が図示上方側に離脱するようにして抜去が行われる。
【００２０】
なお、上述した同軸型電気コネクタ１０に対して他の相手側の同軸型電気コネクタ２０を挿抜する操作は、作業者の手で行われることに限られることはなく、所定の治具や機械によって自動的に行うようにしても良い。以下においては、図５および図６における相手側の他の同軸型電気コネクタ２０の挿入方向および抜出方向を、それぞれ「下方向」および「上方向」とする。
【００２１】
［絶縁ハウジングの構成について］
上述した同軸型電気コネクタ１０の本体部を構成している絶縁ハウジング１１は、プラスチック等の樹脂材を用いて例えばモールド成形されたものであって、印刷配線基板Ｐ上に載置されるベース枠体１１ａと、そのベース枠体１１ａの中心側部分から上方に向かって突出する略円筒状の中空体からなる中央枠体１１ｂとを一体的に有している。そのうちの中央枠体１１ｂは、上方に向かって内径が連続的に減じられる円錐形状の一部をなすように形成されている。これらのベース枠体１１ａから中央枠体１１ｂにかけての中心部分には、コンタクト収容空間が軸方向（上下方向）に貫通するように形成されており、そのコンタクト収容空間の内部に、後述する信号伝送用の信号コンタクト１２が装着されている。
【００２２】
また、上述したベース枠体１１ａには、中心側の中央枠体１１ｂを外方側から取り囲むようにして接地用のグランドコンタクト１３が装着されている。このグランドコンタクト１３は、本発明における円環状コンタクトに相当する部材であって、平面略円環状をなすように形成されているが、詳細な構造については後段において説明する。
【００２３】
［信号コンタクトの構成について］
信号コンタクト１２は、所定の薄厚金属部材から形成されており、印刷配線基板Ｐ上に形成された信号導電路Ｐ１に半田接合される接続脚部１２ａを有している。その接続脚部１２ａは、絶縁ハウジング１１の外方側から内方側に向かって帯板状をなして略水平に延在しており、その絶縁ハウジング１１の内方側における延出側の先端部分に、略直角上方に向かって折り曲げ形成された固定片（図示省略）が、絶縁ハウジング１１のベース枠体１１ａに対して底面側から圧入されている。
【００２４】
また、上述した接続脚部１２ａが絶縁ハウジング１１の内方側中心部分に延出している部位には、当該接続脚部１２ａの両側端縁部から一対の嵌合接触部１２ｃ，１２ｃが上方に立ち上がるようにして一体的に連接されている。それら一対の嵌合接触部１２ｃ，１２ｃは、互いに対面する配置関係になされており、当該両嵌合接触部１２ｃ，１２ｃ同士の間隔が上方に向かって連続的に狭まるように傾斜して、図６に示されているような縦断面略台形状をなす上方開口構造になされている。そして、それら両嵌合接触部１２ｃ，１２ｃ同士の上端位置に形成された狭小空間の内部に、後述する相手側コネクタとしての他の同軸型電気コネクタ２０に設けられた信号コンタクト２２の嵌合接触部２２ｃが嵌め込まれる構成になされている。
【００２５】
［グランドコンタクトの構成について］
一方、本発明における円環状コンタクトを構成するグランドコンタクト１３も、例えば所定の薄厚金属板の折り曲げ部材等から形成されており、略円筒状の中空形状をなすように形成されたグランド本体部１３ａを有している。この円環状をなすグランド本体部１３ａの外周下縁部分には、半径方向の外方側に向かって一体的に延出する複数（３体）の接続脚部１３ｂが、印刷配線基板Ｐ上に形成されたグランド導電路Ｐ２に半田接合されるようになっている。
【００２６】
また、そのグランドコンタクト（円環状コンタクト）１３を構成しているグランド本体部１３ａの上縁部分には、半径方向の内方側に張り出す円環状係合部１３ｃが絞り成形されている。このグランドコンタクト１３の円環状係合部１３ｃは、後述する相手側コネクタとしての他の同軸型電気コネクタ２０に設けられた円環状係止部２３ｃに対して弾性的な嵌合状態（図６参照）になされる。
【００２７】
さらに、グランドコンタクト（円環状コンタクト）１３のグランド本体部１３ａには、当該グランド本体部１３ａを円周方向に分断する分割スリット１３ｄが、円周方向の１箇所に形成されている。この分割スリット１３ｄは、グランド本体部１３ａの分割端部分１３ｅ，１３ｅ同士の間に形成された溝状の空隙部分からなり、嵌合・抜去の方向である円環形状の軸方向（上下方向）に延在していることにより、当該分割スリット１３ｄを介してグランド本体部１３ａの分割端部分１３ｅ，１３ｅ同士が円周方向に対面する配置関係になされている。これらのグランド本体部１３ａの分割端部分１３ｅ，１３ｅ同士は、グランド本体部１３ａの弾性変形が円周方向および径方向に拡大または縮小するように行われるに伴い、互いに離間または近接する方向に移動する構成になされている。
【００２８】
上述したように円周方向に所定の間隔をなすように配置されたグランド本体部１３ａの分割端部分１３ｅ，１３ｅは、グランド本体部１３ａの上端縁から当該グランド本体部１３ａの軸方向（下方向）に向かって略平行に延びており、グランド本体部１３ａの上端縁部分における開口部から下方に延びた後に、グランド本体部１３ａの下縁側部分に設けられたコンタクト保持部材１３ｆに連設されて一体的に繋げられている。
【００２９】
［コンタクト保持部材の構成について］
上述したコンタクト保持部材１３ｆは、他の同軸型電気コネクタ（相手側コネクタ）２０の抜去時に絶縁ハウジング１１の一部に当接するように構成されたものであるが、前記円環状コンタクトの径方向においてグランド本体部１３ａから外方に向かって突出する一対の梁状部材によって形成されている。これらのコンタクト保持部材１３ｆ，１３ｆは、上述した分割端部分１３ｅ，１３ｅよりも円周方向にやや離間した位置において、グランド本体部１３ａの一部を半径方向外方に向って折り曲げて延ばした形状を有しており、横断面略矩形状をなして半径方向外方に片持ち状に突出する帯状部材から形成されている。
【００３０】
これら一対のコンタクト保持部材１３ｆ，１３ｆは、所定の間隔をなして略平行に延在しており、後述する絶縁ハウジング１１の外郭壁部１１ｄに設けられた組立て溝部１１ｅ，１１ｅを貫通して半径方向の外方に向って突出し、その外方突出側の自由端部分が、作業者の指先により把持可能となっている。そして、それらのコンタクト保持部材１３ｆ，１３ｆがそれぞれ有している縦断面略矩形状の上側表面に、軸方向保持面１３ｆ１が形成されているとともに、これら一対のコンタクト保持部材１３ｆ，１３ｆが互いに略平行となるように有している一対の外側表面に、円周方向保持面１３ｆ２，１３ｆ２が形成されている。
【００３１】
一方、絶縁ハウジング１１には、上述したベース枠体１１ａの外縁部分から立ち上がる外郭壁部１１ｄが形成されており、その外郭壁部１１ｄに形成された組立て溝部１１ｅ，１１ｅに、上述したコンタクト保持部材１３ｆ，１３ｆが、それぞれ貫通するように装着されている。それらの組立て溝部１１ｅ，１１ｅは、図５の正面視において左右対称な形状をなすように形成されており、各組立て溝部１１ｅが、上述した外郭壁部１１ｄの上端縁に開ロする入ロ案内部を有しているとともに、その入ロ案内部から下方に延出した後に略直向に折れ曲がって円周方向に延びている。この組立て溝部１１ｅの円周方向延在部分は、両組立て溝部１１ｅ，１１ｅ同士の間において互いに離間する方向に延出している。
【００３２】
上述した組立て溝部１１ｅ，１１ｅの円周方向延在部分は、図５の正面視において略コの字形状およびそれを反転した形状をなすようにそれぞれ形成されており、これら一対の組立て溝部１１ｅ，１１ｅが、円周方向に互いに対称的に対面する配置関係になされている。そして、当該組立て溝部１１ｅにおける略コの字形状の上辺に相当する上壁面に、前述したコンタクト保持部材１３ｆの軸方向保持面１３ｆ１に対して軸方向上側から対面する第１受け部１１ｅ１が形成されている。また、組立て溝部１１ｅ，１１ｅにおける略コの字形状の縦辺に相当する側壁面に、上述した一対のコンタクト保持部材１３ｆ，１３ｆの円周方向保持面１３ｆ２，１３ｆ２に対して円周方向の外方側から対面する第２受け部１１ｅ２，１１ｅ２が形成されている。
【００３３】
このような一対の組立て溝部１１ｅ，１１ｅは、円周方向に互いに対面する配置関係になされているが、当該組立て溝部１１ｅ，１１ｅの入ロ案内部同士が備えている円周方向の対面間隔は、図８に示すように上述した一対のコンタクト保持部材１３ｆ，１３ｆの自由解放状態における間隔より、やや小さくなるように設定されている。すなわち、これら一対のコンタクト保持部材１３ｆ，１３は、作業者の指先等の外力によって互いに円周方向に近付けられる方向に押し縮められて弾性変位された状態で、上述した組立て溝部１１ｅ，１１ｅの入ロ案内部から下方内部に挿入されており、その後に外力が解放されることによってコンタクト保持部材１３ｆ，１３ｆ同士が互いに離間する方向に移動し、当該コンタクト保持部材１３ｆの軸方向保持面１３ｆ１が、組立て溝部１１ｅ，１１ｅの第１受け部１１ｅ１に対面することによって離脱することのないように保持される。
【００３４】
そして、図５および図６に示されているように、後述する相手側の他の同軸型電気コネクタ（相手側コネクタ）２０の嵌合操作が行われた際には、グランド本体部１３ａの外径が拡大していくが、それに伴って、グランド本体部１３ａの円周方向保持面１３ｆ２，１３ｆ２同士が、円周方向に互いに離間する方向に移動していき、それらの円周方向保持面１３ｆ２，１３ｆ２が、絶縁ハウジング１１の第２受け部１１ｅ２の壁面に対して内方側から当接する。これによって、グランドコンタクト（円環状コンタクト）１３の全体が、それ以上、径方向に拡大されることのないように規正される。
【００３５】
また、同軸型電気コネクタ１０との嵌合状態から相手側コネクタとしての他の同軸型電気コネクタ２０を抜去するにあたっては、その相手側の同軸型電気コネクタ２０とともに同軸型電気コネクタ１０のグランドコンタクト１３が上方向に引き上げられて絶縁ハウジング１１からグランドコンタクト１３が離間されようとするが、グランドコンタクト１３の軸方向保持面１３ｆ１が、絶縁ハウジング１１の第１受け部１１ｅ１に対して下方側から当接することによって、絶縁ハウジング１１に対してグランドコンタクト１３が、抜去の方向である軸方向に直接的に保持される。
【００３６】
［相手側コネクタの全体構成について］
このような構成を有する本発明の一実施形態にかかる円筒型コネクタ１０は、図２に示されている相手側コネクタとしての他の同軸型電気コネクタ２０に対して、軸方向の上方側から嵌合され、又は軸方向の上方側に向かって抜出される構成になされている。そのときの相手側コネクタ２０も概略同様な構成になされているため、同様な構成を有する部材については、各部材を示す符号中の十の位の「１」を「２」に代えて表し、異なる構成についての説明を以下行うこととする。なお、この相手側の他の同軸型電気コネクタ２０の単体構成については、上下を反転した状態を図示して説明を行うこととする。
【００３７】
まず、他の同軸型電気コネクタ２０に設けられた絶縁ハウジング２１は、平面略矩形状をなす平板状部材から形成されており、その絶縁ハウジング２１の中心部分から略垂直に突出する信号伝送用の信号コンタクト２２が装着されている。また、その信号コンタクト２２を外方側から取り囲むようにして、接地用のグランドコンタクト２３が装着されている。
【００３８】
［信号コンタクトの構成について］
信号コンタクト２２は、例えば、所定の薄厚金属板の折り曲げ部材等から形成されており、印刷配線基板Ｑ上に形成された信号導電路（図示省略）に半田接合される接続脚部２２ａを有している。その接続脚部２２ａは、絶縁ハウジング２１の中心側まで延出しており、その中心部分において略直角上方に立ち上がるように突出する中空のピン形状をなす嵌合接触部２２ｃが一体的に連接されている。この嵌合接触部２２ｃには、前述した本発明にかかる同軸型電気コネクタ１０に設けられた嵌合接触部１２ｃが外方側から覆うように嵌め込まれる構成（図６参照）になされている。
【００３９】
［グランドコンタクトの構成について］
この同軸型電気コネクタ２０に設けられたグランドコンタクト２３も、例えば、所定の薄厚金属板の折り曲げ部材等から形成されており、略円筒状の中空形状をなすように形成されたグランド本体部２３ａの外周部から、半径外方側に向かって一体的に延出する複数の接続脚部２３ｂが、印刷配線基板Ｑ上に形成されたグランド導電路Ｑ２に半田接合されるようになっている。このグランド本体部２３ａの外周上縁部分には、環状溝からなる円環状係止部２３ｃが成形されている。当該円環状係止部２３ｃは、前述した本発明にかかる円筒型コネクタ１０の円環状係合部１３ｃに対して、内方側に圧入されるようにして弾性的な嵌合状態（図５および図６参照）になされる。
【００４０】
なお、このグランドコンタクト２３のグランド本体部２３ａには、本発明にかかる円筒型コネクタ１０におけるグランドコンタクト１３のような円周方向分断用の分割スリットは設けられていない。
【００４１】
そして、この相手側コネクタとしての他の同軸型電気コネクタ２０が、下向きに反転された状態で、前述した本発明の一実施形態にかかる同軸型電気コネクタ１０の上方に対面するように配置された後、図５および図６に示されているように、下方に押し込むようにして嵌合操作が行われる。その嵌合操作においては、上方側に配置された他の同軸型電気コネクタ２０の円環状係止部２３ｃが、同軸型電気コネクタ１０の円環状係合部１３ｃの内方側に押し込まれて圧接状態となることで、同軸型電気コネクタ１０のグランドコンタクト（円環状コンタクト）１３におけるグランド本体部１３ａが、円周方向に拡大する方向に弾性変形し、当該グランド本体部１３ａの分割端部分１３ｅ，１３ｅ同士が、円周方向に離間するように移動する。
【００４２】
また、両コネクタ１０，２０同士の嵌合操作が完了したときには、同軸型電気コネクタ１０に設けられたグランド本体部１３ａの分割端部分１３ｅ，１３ｅ同士が、円周方向に再び近接するように移動して元の間隔に戻され、グランド本体部１３ａが円周方向に縮小する方向に復元される。なお、同軸型電気コネクタ１０の抜去時には、上述した工程と逆方向の弾性変位が行われる。
【００４３】
このような構成からなる同軸型電気コネクタ１０においては、グランドコンタクト１３の分割スリット１３ｄを構成している分割端部分１３ｅ，１３ｅから半径方向の外方に突出するコンタクト保持部材１３ｆに、グランドコンタクト（円環状コンタクト）１３を保持させる軸方向保持面１３ｆ１および円周方向保持面１３ｆ２が設けられていることから、次のような作用が得られる。
【００４４】
すなわち、嵌合状態にある相手側コネクタとしての他の同軸型電気コネクタ２０を同軸型電気コネクタ１０から抜去するにあたっては、その相手側の同軸型電気コネクタ２０とともに同軸型電気コネクタ１０のグランドコンタクト１３が上方向に引き上げられて絶縁ハウジング１１から離間されようとするが、その際に、同軸型電気コネクタ１０のコンタクト保持部材１３ｆに設けられた軸方向保持面１３ｆ１が、絶縁ハウジング１１の第１受け部１１ｅ１に対して下方側から当接することとなり、グランドコンタクト１３が絶縁ハウジング１１に対して抜去の方向である軸方向に直接的に保持される。
【００４５】
また、この相手側の同軸型電気コネクタ２０の抜去時には、グランドコンタクト（円環状コンタクト）１３におけるグランド本体部１３ａの外径が拡大するが、その際、同軸型電気コネクタ１０に同じくコンタクト保持部材として設けられた円周方向保持面１３ｆ２，１３ｆ２同士が円周方向に互いに離間する方向に移動して、絶縁ハウジング１１の組立て溝部１１ｅ，１１ｅに設けられた第２受け部１１ｅ２，１１ｅ２に当接する。そして、それ以後は、グランドコンタクト１３の円周方向移動、すなわち径方向の過大な拡大が規制されることとなり、それによって他の同軸型電気コネクタ（相手側コネクタ）２０に対する嵌合力または抜去力の調整が容易に行われる。
【００４６】
このように本実施形態においては、グランドコンタクト（円環状コンタクト）１３にコンタクト保持部材１３ｆとして設けられた軸方向保持面１３ｆ１および円周方向保持面１３ｆ２が、グランドコンタクト１３の分割スリット１３ｄを構成している分割端部分１３ｅに設けられていることから、それらの軸方向保持面１３ｆ１および円周方向保持面１３ｆ２の形状や大きさが、他の同軸型電気コネクタ（相手側コネクタ）２０に対する嵌合力または抜去力に影響することが殆ど無く、他の同軸型電気コネクタ２０との嵌合力または抜去力の調整が容易化される。
【００４７】
また、グランドコンタクト（円環状コンタクト）１３の分割端部分１３ｅに設けられたコンタクト保持部材１３ｆが、グランドコンタクト１３の径方向外方に突出していることから、グランドコンタクト１３の外方側からコンタクト保持部材１３ｆを把持することが可能となるとともに、そのように外方側からコンタクト保持部材１３ｆを把持しながらグランドコンタクト１３を弾性変位させることで、コンタクト保持部材１３ｆを所定の組付け位置に嵌め込むことが容易に行われることとなり、グランドコンタクト１３の組立性が向上する。
【００４８】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【産業上の利用可能性】
【００４９】
以上のように本発明は、各種電子・電気機器に使用される多種多様な同軸型電気コネクタに対して広く適用することが可能である。
【符号の説明】
【００５０】
１０  同軸型電気コネクタ
１１  絶縁ハウジング
１１ａ  ベース枠体
１１ｂ  中央枠体
１１ｄ  外郭壁部
１１ｅ  組立て溝部
１１ｅ１  第１受け部
１１ｅ２  第２受け部
１２  信号コンタクト
１２ａ  接続脚部
１２ｃ  嵌合接触部
１３  グランドコンタクト（円環状コンタクト）
１３ａ  グランド本体部
１３ｂ  接続脚部
１３ｃ  円環状係合部
１３ｄ  分割スリット
１３ｅ  分割端部分
１３ｆ  コンタクト保持部材
１３ｆ１  軸方向保持面
１３ｆ２  円周方向保持面
２０  他の同軸型電気コネクタ（相手側コネクタ）
２１  絶縁ハウジング
２２  信号コンタクト
２２ａ  接続脚部
２２ｃ  嵌合接触部
２３  グランドコンタクト
２３ａ  グランド本体部
２３ｂ  接続脚部
２３ｃ  円環状係止部
Ｐ  印刷配線基板
Ｐ１  信号導電路
Ｐ２  グランド導電路
Ｑ  印刷配線基板
Ｑ２  グランド導電路
【図１】
2014123532.tif 000003
【図２】
2014123532.tif 000004
【図３】
2014123532.tif 000005
【図４】
2014123532.tif 000006
【図５】
2014123532.tif 000007
【図６】
2014123532.tif 000008
【図７】
2014123532.tif 000009
【図８】
2014123532.tif 000010
【図９】
2014123532.tif 000011
【図１０】
2014123532.tif 000012